(57)【要約】【課題】  ビーカーやフラスコの周囲から内部に不純物を混入したり、ビーカーやフラスコ内のサンプルを飛散させたりすることなく、ビーカーやフラスコの内部の側壁の静電気を低減することができる除電器を提供する。【解決手段】  電圧発生器１と、電圧発生器１で電圧が印加されることにより、イオンを生成するイオン生成用電極２と、空気を送風するファン７と、イオン含有空気を一方向に放出するための放出口６ｄとを備える除電器６であって、放出口６ｄの前方に装着され、放出口６ｄから放出されるイオン含有空気を除電対象の容器内に導くとともに、イオン含有空気の進行方向を調整するノズル１０を備えることを特徴とする。【選択図】図１
2008277127.tif 000002
【特許請求の範囲】
【請求項１】
電圧発生器と、
前記電圧発生器により電圧が印加されることにより、イオンを生成するイオン生成用電極と、
前記イオン生成用電極に向けて、空気を送風するファンと、
生成されたイオンを含むイオン含有空気を一方向に放出するための放出口とを備える除電器であって、
前記放出口の前方に装着され、前記放出口から放出されるイオン含有空気を除電対象の容器内に導くとともに、当該イオン含有空気の進行方向を調整するノズルを備えることを特徴とする除電器。
【請求項２】
前記ノズルは、前記イオン含有空気の進行方向を、前記容器の側壁に向かうように形成されることを特徴とする請求項１に記載の除電器。
【請求項３】
前記ノズルの先端部は、前記容器に挿入可能な大きさであり、かつ、有底の筒形状であり、
前記筒形状面にイオン含有空気を吹き出す開口部が形成されることを特徴とする請求項１又は２に記載の除電器。
【請求項４】
前記イオン生成用電極は、正イオンと、負イオンとを生成することを特徴とする請求項１〜３のいずれか１項に記載の除電器。
【発明の詳細な説明】
【技術分野】
【０００１】
本発明は、ノズルを備える除電器に関し、特にビーカーやフラスコ等の容器の側壁に帯電した静電気を除電するための除電器に関する。
【背景技術】
【０００２】
従来から、対象物の静電気を低減するために、種々の除電器が開発されてきた。例えば、コロナ放電式除電器では、針状のイオン生成用電極に電圧を印加することにより、イオン生成用電極の先端に電界が集中して、先端にコロナ放電を発生する。その結果、イオン生成用電極からイオンが生成する。このようにして生成したイオンを、対象物に吹き付けることで、対象物の静電気を中和して低減させることが行われてきた。
【０００３】
さらに、除電器は、イオン含有空気の対象物への送風の仕方によって、エアー型除電器、バー型除電器、ファン型除電器に大別されて、それぞれの特性を生かしながら利用されてきた。エアー型除電器では、圧縮空気を用いて小面積の１つの放出口から送風することにより、小面積の静電気を低減させることができる。一方、バー型除電器では、複数のイオン発生部を有し広範囲の静電気を低減させることができる。最後に、ファン型除電器では、ファンを用いて窓状の放出口から空気を送風することにより、対象物の広範囲での静電気を一度に低減させることができる（例えば、特許文献１参照）。
【特許文献１】特開２００５−３３２７２３号公報
【発明の開示】
【発明が解決しようとする課題】
【０００４】
重量計測において、粉末状のサンプルを取り扱う場合、容器に帯電する静電気が問題になることがある。例えば、粉末状のサンプルを小型ビーカーに投入したときに、小型ビーカーの内部の側壁にサンプルが付着する。しかしながら、小型ビーカーの内部の側壁に帯電した静電気を低減するために、エアー型除電器を用いると、小面積の１つの放出口から圧縮空気を送風するので、空気の送風の力が強すぎて、小型ビーカー内のサンプルを飛散させてしまったり、周囲の埃等を舞い上げて小型ビーカーの外部から内部に不純物を混入してしまったりすることがあった。この結果、分析天秤等でサンプルを計量したときに、サンプルの重量に誤差を生じることになった。また、エアー型除電器を用いた場合、エアー源のコンプレッサの振動が、分析天秤等に悪影響を与えるため、分析天秤等の傍でエアー型除電器を使用することにも問題があった。
【０００５】
一方、図７に示すように、ファン型除電器５６を用いると、正方形状の放出口５６ｄからイオン含有空気を送風するので、ファン型除電器５６を傾けて用いても小型ビーカー４０の内部の側壁の上部にしか空気（イオン）を充分に吹き付けることができず、小型ビーカー４０の内部の側壁の下部の静電気を充分に低減することが困難で、小型ビーカー４０の内部の側壁にサンプルＳが付着したままであることもあった。
【０００６】
そこで、本発明は、ビーカーやフラスコの外部から内部に不純物を混入したり、ビーカーやフラスコ内のサンプルを飛散させたりすることなく、ビーカーやフラスコの内部の側壁での静電気を低減することができる除電器を提供することを目的とする。
【課題を解決するための手段】
【０００７】
上記課題を解決するためになされた本発明の除電器は、電圧発生器と、前記電圧発生器により電圧が印加されることにより、イオンを生成するイオン生成用電極と、前記イオン生成用電極に向けて、空気を送風するファンと、生成されたイオンを含むイオン含有空気を一方向に放出するための放出口とを備える除電器であって、前記放出口の前方に装着され、前記放出口から放出されるイオン含有空気を除電対象の容器内に導くとともに、当該イオン含有空気の進行方向を調整するノズルを備えるようにしている。
【発明の効果】
【０００８】
本発明の除電器によれば、除電器の放出口の前方に、例えば、イオン含有空気の進行方向を調整するためのノズルを装着することにより、小型ビーカー内にノズルが挿入されて、小型ビーカーの内部の側壁の上部にも下部にも空気を吹き付けることができるので、小型ビーカーの内部の側壁の全面の静電気を低減することできる。このとき、ファンを用いて空気を送風する除電器を使用するので、空気の送風の力が強すぎて、小型ビーカー内のサンプルを飛散させてしまったり、小型ビーカーの周囲から内部に不純物を混入してしまったりすることもない。
【０００９】
（他の課題を解決するための手段および効果）
また、上記の発明において、前記ノズルは、前記イオン含有空気の進行方向を、前記容器の側壁に向かうように形成されるようにしてもよい。
また、上記の発明において、前記ノズルの先端部は、前記容器に挿入可能な大きさであり、かつ、有底の筒形状であり、  前記筒形状面にイオン含有空気を吹き出す開口部が形成されるようにしてもよい。
【００１０】
また、上記の発明において、前記イオン生成用電極は、正イオンと負イオンとが別々の放電電極で生じるＤＣ方式、正イオンと負イオンとを同じ電極から生成するＡＣ方式のどちらでもよい。
本実施例の除電器によれば、正イオンと負イオンと含むイオン含有空気を放出することができるので、イオンバランスがよく、例えば、正イオンに帯電した小型ビーカーの内部の側壁の静電気を低減するのに、負イオンが不足してほとんど低減できなかったり、一方、負イオンが多くて負イオンに逆に帯電させてしまったりすることもなく、小型ビーカーの内部の側壁の静電気を効果的に低減することができる。
【発明を実施するための最良の形態】
【００１１】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１２】
図１は、本発明の一実施形態である除電器を示す平面図であり、図２は、図１に示す除電器のＡ−Ａ線の断面図であり、図３は、図２に示す除電器のＢ−Ｂ線の単面図（Ｂ−Ｂ線で切断した面のみ）である。
除電器６は、電圧発生器１と、電圧が印加されることによりイオンを生成するイオン生成用電極２と、空気を送風するファン７と、吸気口６ｃと、イオン含有空気を放出するための放出口６ｄと、放出口６ｄから放出されるイオン含有空気の進行方向（風軸）を当該進行方向（風軸）と垂直な方向に調整するノズル１０とを備える。
【００１３】
ファン７は、空気の流れを作るためのものであり、例えば、風量が０．０４ｍ３／分程度である小型ファンが挙げられる。これにより、ファン７が回転すると、吸気口６ｃから放出口６ｄへ空気の流れが生じることになる。
【００１４】
吸気口６ｃは、除電器６の上面に配置され、例えば、平面視すると、３０ｍｍ×３０ｍｍの正方形状の開口であり、開口にはメッシュサイズが１．５ｍｍ角程度である埃除去用のフィルタ（図示せず）が設置されている。
放出口６ｄは、除電器６の下面に配置され、例えば、平面視すると、３０ｍｍ×３０ｍｍの正方形状の開口であり、正イオン及び負イオンを含むイオン含有空気を一方向（開口面に垂直な方向）に放出するためのものである。
【００１５】
高電圧発生器１は、＋入力リード線（図示せず）と−入力リード線（図示せず）との間に印加された入力電圧を、圧電トランス（図示せず）で昇圧し、交流化して出力する。
なお、高電圧発生器１は、出力電圧調整部（図示せず）を有し、イオン生成用電極２への印加する出力電圧を制御することにより、生成されるイオンの量は１０万個／ｃｍ３〜１００万個／ｃｍ３の範囲で変動させることができる。
【００１６】
イオン生成用電極２は、例えば、厚さ０．１ｍｍ程度の金属板を加工して、針端を形成し、これを放出口６ｄに向けた針状電極としてある。これにより、高電圧出力線５で交流電圧が印加されることにより、負イオンと正イオンとが交互に生成される。
アース用電極３についても、例えば、厚さ０．１ｍｍ程度の金属板を加工して、針端を形成し、これらを放出口６ｄに向けてある。
なお、イオン生成用電極２及びアース用電極３とは、吸気口６ｃと放出口６ｄとの間に配置され、かつ、ファン７の下流に配置されているので、ファン７からの送風により、放出口６ｄからイオン含有空気が放出されていくことになる。
上記イオン生成用電極及びアース用電極を形成する金属としては、例えば、ステンレス（ＳＵＳ）、タングステン等が挙げられる。
【００１７】
ノズル１０は、放出口６ｄから放出される空気の進行方向（風軸）を当該進行方向（風軸）と垂直な方向に調整するものである。図４は、ノズルの斜視図である。ノズル１０の上部１０ａは、上が正方形状の開口、下が円形状の開口と変化するものであり、ノズル１０の下部１０ｂは、側面となる円筒形状面と底面とを有し、かつ、円筒形状面に４つの正方形状の開口部１０ｃが四方に向けて配置されている。
また、ノズル１０は、フランジ部１０ｄによって放出口６ｄの前方に装着可能とされている。なお、ノズル１０は、ねじ止めによって放出口６ｄの前方に装着可能とされてもよい。
上記ノズルの材質としては、例えば、紙等の絶縁物や、アルミニウム等の導電物等が挙げられる。なお、上記ノズルの開口部の形状及び数は、上述した構造以外で構成されてもよい。
【００１８】
以上のように、除電器６によれば、図５に示すように、除電器６の放出口６ｄの前方に、円筒形状面と底面とを有し、かつ、円筒形状面に４つの正方形状の開口部１０ｃを有するノズル１０を装着することにより、ノズル１０を小型ビーカー４０内の上部まで挿入して、小型ビーカー４０の内部の側壁の上部に空気を吹き付けることができ、さらに、ノズル１０を小型ビーカー４０内の下部まで挿入して、小型ビーカー４０の内部の側壁の下部に空気を吹き付けることができるので、小型ビーカー４０の内部の側壁の静電気を低減することできる。よって、小型ビーカー４０の内部の側壁にサンプルＳが付着することをなくすことができる。このとき、ファン７を用いて空気を送風する除電器６を使用するので、空気の送風の力が強すぎて、小型ビーカー４０内のサンプルＳを飛散させてしまったり、小型ビーカー４０の周囲から内部に不純物を混入してしまったりすることもない。
なお、ノズル１０が放出口６ｄの前方から外されることにより、除電器６は一方向に空気を吹き付けることもできる。
【００１９】
以下、本発明について、実施例を挙げて、さらに具体的に説明するが、本発明は、これらにより、何ら限定されるものではない。
【実施例１】
【００２０】
実施例１に係るノズルを、上部を、３０ｍｍ×３０ｍｍの正方形状の開口から直径１５ｍｍの円形状の開口へと上下方向の２０ｍｍの間で変化させたものとし、下部を、直径１５ｍｍの円筒形状面と底面とを有し、かつ、底面から上方向に２７ｍｍの位置の円周方向で合計４つの１２ｍｍ×１２ｍｍの正方形状の開口部を有するものとして、紙で作製した（図６参照）。
【実施例２】
【００２１】
紙をアルミニウムに変更した以外は、実施例１と同様にして、実施例２に係るノズルを作製した。
【００２２】
（評価方法）
（１）＋１０００Ｖから＋１００Ｖにしたときの除電時間の測定
図１〜３に示すような除電器の放出口６ｄに、実施例１及び実施例２に係るノズルを装着した。さらに、開口部１０ｃ面から垂直方向に２０ｍｍの位置に＋１０００Ｖに帯電した対象物を配置した。そして、イオン生成用電極に８ｋＶｐｐの電圧を印加して、対象物が＋１０００Ｖから＋１００Ｖになるまでの時間を測定した。その結果を表１に示す。
なお、気温は２３℃であり、湿度は４５％ＲＨであった。
【００２３】
（２）−１０００Ｖから−１００Ｖにしたときの除電時間の測定
図１〜３に示すような除電器の放出口６ｄに、実施例１及び実施例２に係るノズルをテープで装着した。さらに、開口部１０ｃ面から垂直方向に２０ｍｍの位置に−１０００Ｖに帯電した対象物を配置した。そして、イオン生成用電極へ８ｋＶｐｐの電圧を印加して、対象物が−１０００Ｖから−１００Ｖになるまでの時間を測定した。その結果を表１に示す。
なお、気温は２３℃であり、湿度は４５％ＲＨであった。
【００２４】
【表１】
2008277127.tif 000003
【００２５】
（結果）
表１から明らかなように、実施例１及び実施例２に係るノズルを装着した除電器６を用いると、ノズル１０の開口部１０ｃの正面に配置された対象物を約３０秒で除電できた。よって、ノズル１０を小型ビーカー等の内部に挿入して、小型ビーカー等の内部の側壁に空気を吹き付けることができるので、小型ビーカー等の内部の側壁の静電気を低減することできる。
【産業上の利用可能性】
【００２６】
本発明の除電器は、例えば、ビーカーやフラスコ等の容器の側壁に帯電した静電気を除電するために、利用される。
【図面の簡単な説明】
【００２７】
【図１】本発明の一実施形態である除電器を示す平面図である。
【図２】図１に示す除電器のＡ−Ａ線の断面図である。
【図３】図２に示す除電器のＢ−Ｂ線の単面図である。
【図４】ノズルの斜視図である。
【図５】小型ビーカーにおいて、本発明の除電器を使用したときの図である。
【図６】本発明の一実施形態であるノズルを示す側面図である。
【図７】小型ビーカーにおいて、従来の除電器を使用したときの図である。
【符号の説明】
【００２８】
１  電圧発生器
２  イオン生成用電極
６  除電器
６ｄ  放出口
７  ファン
１０  ノズル
【図１】
2008277127.tif 000004
【図２】
2008277127.tif 000005
【図３】
2008277127.tif 000006
【図４】
2008277127.tif 000007
【図５】
2008277127.tif 000008
【図６】
2008277127.tif 000009
【図７】
2008277127.tif 000010